(57)【要約】【課題】ガスを第１側板から第２側板に向かう方向に沿ってチャンバの内部に供給することが可能であるとともに、筐体の開口部を介してファン及びチャンバを容易に接続することが可能な温水装置を提供する。【解決手段】温水装置は、筐体と、ファンと、チャンバと、挟持部材とを備えている。筐体は、背板と、第１方向において互いに対向する第１側板及び第２側板とを有している。ファンは、吐出口と、第１方向に沿って吐出口へと延在している第１流路と、吐出口に設けられた第１フランジとを有している。チャンバは、吸入口と、第１方向に沿って吸入口から延在している第２流路と、吸入口に設けられた第２フランジとを有している。第１フランジ及び第２フランジは、吐出口及び吸入口が連通するように互いに当接している。挟持部材は、第１フランジ及び第２フランジを第１方向において挟持している。【選択図】図８
2020030014.tif 000002
【特許請求の範囲】
【請求項１】
背板と、第１方向において互いに対向するとともに、前記第１方向に交差する第２方向に沿って前記背板の両側端から延在する第１側板及び第２側板とを有し、かつ、前記第２方向において前記背板とは反対側に開口部が設けられた筐体と、
前記筐体の内部に配置されているファン及びチャンバと、
挟持部材とを備え、
前記ファンは、吐出口と、前記第１方向に沿って前記吐出口へと延在している第１流路と、前記第１流路の外周面から張り出すように前記吐出口に設けられた第１フランジとを有しており、
前記チャンバは、吸入口と、前記第１方向に沿って前記吸入口から延在している第２流路と、前記第２流路の外周面から張り出すように前記吸入口に設けられた第２フランジとを有しており、
前記第１フランジ及び前記第２フランジは、前記吐出口及び前記吸入口が連通するように互いに当接しており、
前記挟持部材は、前記第１フランジ及び前記第２フランジを前記第１方向において挟持しており、かつ、前記チャンバの前記開口部側及び前記ファンの前記開口部側の少なくとも一方に固定されている、温水装置。
【請求項２】
前記第１フランジの外周面には、第１凸部が設けられており、
前記第２フランジの外周面には、第２凸部が設けられており、
前記第１フランジ及び前記第２フランジは、前記第１凸部及び前記第２凸部が互いに対向するように当接しており、
前記挟持部材には、前記第１凸部及び前記第２凸部が挿入される挿入孔が設けられている、請求項１に記載の温水装置。
【請求項３】
前記第１方向における前記挿入孔の幅は、前記第１凸部及び前記第２凸部の基端部から離れるにつれて狭くなっている、請求項２に記載の温水装置。
【請求項４】
前記第１流路の外周面には、前記第１流路の外周面から突出するように位置決めピンが設けられており、
前記挟持部材は、前記チャンバの前記開口部側に固定されており、
前記挟持部材には、前記位置決めピンが挿入される位置決め孔が設けられている、請求項１に記載の温水装置。
【請求項５】
前記挟持部材は、前記チャンバの前記開口部側及び前記ファンの前記開口部側の双方に固定されている、請求項１に記載の温水装置。
【請求項６】
点火プラグをさらに備え、
前記点火プラグは、平面視において、前記開口部側に配置されており、
前記第１流路及び前記第２流路は、平面視において、前記開口部側に配置されている、請求項１〜請求項５のいずれか１項に記載の温水装置。
【発明の詳細な説明】
【技術分野】
【０００１】
本発明は、温水装置に関する。
【背景技術】
【０００２】
特開２０１８−１１２３２１号公報（特許文献１）には、温水装置が記載されている。特許文献１に記載の温水装置は、筐体と、チャンバと、ファンとを有している。チャンバ及びファンは、筐体の内部に配置されている。
【０００３】
筐体は、背板部と、一対の側板部とを有している。一対の側板部（第１側板部及び第２側板部）は、背板部の両側端から前方に延在している。筐体は、前方に開口部を有している。チャンバは、筐体の内部に配置されている。チャンバは、第１取り付け面と、吸入口とを有している。第１取り付け面は、平面視において背板部に対して傾斜している。吸入口は、第１取り付け面において斜め前方に向けて開口している。
【０００４】
ファンは、吐出口が設けられた第２取り付け面を有している。ファンは、吸入口及び吐出口が連通するように第１取り付け面と第２取り付け面とが対向させた状態でチャンバに取り付けられている。第１取り付け面及び第２取り付け面は、ネジで相互に固定されている。ネジは、第１取り付け面及び第２取り付け面に形成されているネジ穴に螺合されている。ネジ穴は、第１取り付け面及び第２取り付け面に直交するように形成されている。
【先行技術文献】
【特許文献】
【０００５】
【特許文献１】特開２０１８−１１２３２１号公報
【発明の概要】
【発明が解決しようとする課題】
【０００６】
特許文献１に記載の温水装置において、ファンから吐出された混合ガスは、平面視において背板部に対して傾斜した方向に沿ってチャンバの内部に吸入される。すなわち、ファンから吐出された混合ガスを、第１側板部から第２側板部に向かう方向に沿ってチャンバの内部に吸入させることはできない。
【０００７】
仮に、特許文献１に記載の温水装置においてファンから吐出された混合ガスが第１側板部から第２側板部に向かう方向に沿ってチャンバの内部に吸入されるようにチャンバ及びファンを配置した場合には、ネジにより第１取り付け面及び第２取り付け面を固定することが困難になる。
【０００８】
本発明は、上記のような従来技術の問題点に鑑みてなされたものである。より具体的には、本発明は、混合ガスを第１側板から第２側板に向かう方向に沿ってチャンバの内部に供給することが可能であるとともに、筐体に設けられた開口部を介してファン及びチャンバを容易に接続することが可能な温水装置を提供する。
【課題を解決するための手段】
【０００９】
本発明の一態様に係る温水装置は、筐体と、ファンと、チャンバと、挟持部材とを備えている。筐体は、背板と、第１方向において互いに対向するとともに、第１方向に交差する第２方向に沿って背板の両側端から延在する第１側板及び第２側板とを有している。筐体には、第２方向において背板とは反対側に開口部が設けられている。
【００１０】
ファン及びチャンバは、筐体の内部に配置されている。ファンは、吐出口と、第１方向に沿って吐出口へと延在している第１流路と、第１流路の外周面から張り出すように吐出口に設けられた第１フランジとを有している。チャンバは、吸入口と、第１方向に沿って吸入口から延在している第２流路と、第２流路の外周面から張り出すように吸入口に設けられた第２フランジとを有している。
【００１１】
第１フランジ及び第２フランジは、吐出口及び吸入口が連通するように、互いに当接している。挟持部材は、第１フランジ及び第２フランジを第１方向において挟持しており、かつ、チャンバの開口部側及びファンの開口部側の少なくとも一方に固定されている。
【００１２】
上記の温水装置においては、第１流路及び第２流路が第１方向に沿って延在している。そのため、ファンから吐出される混合ガスは、第１方向に沿って、チャンバの内部に供給される。上記の温水装置においては、挟持部材が、第１フランジ及び第２フランジを挟持するとともに、筐体の開口部側においてチャンバ及びファンの少なくとも一方に固定されている。そのため、作業者は、筐体の開口部を介して容易にチャンバ及びファンの接続を行うことができる。
【００１３】
上記の温水装置において、第１フランジの外周面には、第１凸部が設けられていてもよい。第２フランジの外周面には、第２凸部が設けられていてもよい。第１フランジ及び第２フランジは、第１凸部及び第２凸部が互いに対向するように当接していてもよい。挟持部材には、第１凸部及び第２凸部が挿入される挿入孔が設けられていてもよい。
【００１４】
この場合、第１凸部及び第２凸部が挿入孔に挿入されることにより、第１フランジの第２フランジに対する周方向の回転が抑止されるため、温水装置の組立性が改善される。
【００１５】
上記の温水装置において、第１方向における挿入孔の幅は、第１凸部及び第２凸部の基端部から離れるにつれて狭くなっていてもよい。
【００１６】
この場合、第１凸部及び第２凸部を容易に挿入孔に挿入することができる。また、この場合、一旦第１凸部及び第２凸部を挿入孔に挿入した後は、挿入孔により第１凸部及び第２凸部が第１方向に沿って相互に押し付け合うため、第１フランジと第２フランジとの間の密着性を高めることができる。
【００１７】
上記の温水装置において、第１流路の外周面には、第１流路の外周面から突出するように位置決めピンが設けられていてもよい。挟持部材は、チャンバの開口部側に固定されていてもよい。挟持部材には、位置決めピンが挿入される位置決め孔が設けられていてもよい。
【００１８】
この場合、位置決めピンが位置決め孔に挿入されることにより、第１フランジの第２フランジに対する周方向の回転が抑止されるため、温水装置の組立性が改善される。
【００１９】
上記の温水装置において、挟持部材は、チャンバの開口部側及びファンの開口部側の双方に固定されていてもよい。
【００２０】
この場合、挟持部材がチャンバ及びファンの双方に固定されることにより、第１フランジの第２フランジに対する周方向の回転が抑止されるため、温水装置の組立性が改善される。
【００２１】
上記の温水装置は、点火プラグをさらに備えていてもよい。点火プラグは、平面視において、開口部側に配置されていてもよい。第１流路及び第２流路は、平面視において、開口部側に配置されていてもよい。
【発明の効果】
【００２２】
本発明の一態様に係る温水装置によると、混合ガスを第１側板から第２側板に向かう方向に沿ってチャンバの内部に供給することを可能になるとともに、筐体に設けられた開口部を介してファンとチャンバとを容易に接続することが可能になる。
【図面の簡単な説明】
【００２３】
【図１】実施形態に係る温水装置１００の模式図である。
【図２】実施形態に係る温水装置１００の筐体１０の斜視図である。
【図３】実施形態に係る温水装置１００のファン４２の斜視図である。
【図４】実施形態に係る温水装置１００のファン４２の側面図である。
【図５】図４のＶ−Ｖにおける断面図である。
【図６】実施形態に係る温水装置１００のチャンバ４１の斜視図である。
【図７】図６のＶＩＩ−ＶＩＩにおける断面図である。
【図８】実施形態に係る温水装置１００のチャンバ４１及びファン４２の斜視図である。
【図９】実施形態に係る温水装置１００のチャンバ４１及びファン４２の分解斜視図である。
【図１０】実施形態に係る温水装置１００のチャンバ４１及びファン４２の平面図である。
【図１１】図１０のＸＩ−ＸＩにおける断面図である。
【図１２】実施形態に係る温水装置１００の挟持部材６の第１方向ＤＲ１に平行な断面図である。
【発明を実施するための形態】
【００２４】
本発明の実施形態を、図面を参照しながら説明する。以下の図面においては、同一又は相当する部分に同一の参照符号を付し、重複する説明は繰り返さない。
【００２５】
（実施形態に係る温水装置の構成）
以下に、実施形態に係る温水装置１００の構成を説明する。
【００２６】
＜概略構成＞
図１に示されるように、温水装置１００は、筐体１０と、一次熱交換器２０と、点火プラグ２１と、二次熱交換器３０と、バーナ４０と、チャンバ４１と、ファン４２と、ダクト４３と、ベンチュリ４４と、オリフィス４５と、ガスバルブ４６と、配管５０ａ〜配管５０ｇと、バイパス配管５１ａ及びバイパス配管５１ｂと、バイパスサーボ５２とを有している。
【００２７】
一次熱交換器２０、点火プラグ２１、二次熱交換器３０、バーナ４０、チャンバ４１、ファン４２、ダクト４３、ベンチュリ４４、オリフィス４５、ガスバルブ４６、配管５０ａ〜配管５０ｇ、バイパス配管５１ａ、バイパス配管５１ｂ及びバイパスサーボ５２は、筐体１０内に配置されている。
【００２８】
バーナ４０は、チャンバ４１の下方に配置されている。一次熱交換器２０は、バーナ４０の下方に配置されている。点火プラグ２１は、バーナ４０の下方に配置されている。点火プラグ２１は、例えば一次熱交換器２０に取り付けられている。二次熱交換器３０は、一次熱交換器２０の下方に配置されている。
【００２９】
配管５０ａの一方端からは、燃料ガスが供給される。配管５０ａの他方端は、ガスバルブ４６に接続されている。配管５０ｂの一方端は、ガスバルブ４６に接続されている。配管５０ｂの他方端は、オリフィス４５に接続されている。配管５０ｃの一方端は、オリフィス４５に接続されている。配管５０ｃの他方端は、ベンチュリ４４に接続されている。
【００３０】
配管５０ｄの一方端は、ベンチュリ４４に接続されている。配管５０ｄの他方端は、ファン４２に接続されている。ファン４２は、チャンバ４１に接続されている。この点に関しては、後述する。チャンバ４１は、バーナ４０に接続されている。
【００３１】
配管５０ｅの一方端からは、水が供給される。配管５０ｅの他方端は、二次熱交換器３０に接続されている。配管５０ｆの一方端は、二次熱交換器３０に接続されている。配管５０ｆの他方端は、一次熱交換器２０に接続されている。配管５０ｇの一方端は、一次熱交換器２０に接続されている。配管５０ｇの他方端からは、出湯が行われる。
【００３２】
バイパス配管５１ａの一方端は、配管５０ｅに接続されている。バイパス配管５１ａの他方端は、バイパスサーボ５２に接続されている。バイパス配管５１ｂの一方端は、バイパスサーボ５２に接続されている。バイパス配管５１ｂの他方端は、配管５０ｇに接続されている。
【００３３】
ガスバルブ４６は、配管５０ａからの燃料ガスの供給及び停止を切り替える。これにより、ベンチュリ４４に供給される燃料ガスの圧力が調整される。
【００３４】
ベンチュリ４４は、筐体１０の外部から空気を取り入れるように構成されている。ベンチュリ４４は、筐体１０の外部から取り入れた空気と、配管５０ａ、配管５０ｂ、配管５０ｃ、オリフィス４５及びガスバルブ４６を介してベンチュリ４４に供給される燃料ガスとを混合する（空気と混合された燃料ガスを、以下において、混合ガスという）。
【００３５】
ファン４２は、ファンケース４２ａ（図３参照）と、ファンケース内に配置されている羽根車４２ｂ（図示せず）と、羽根車を回転駆動するモータ４２ｃ（図３参照）とを有している。ファン４２は、モータ４２ｃが羽根車４２ｂを回転駆動させることにより、配管５０ｃを介して、ベンチュリ４４で生成された混合ガスを吸入する。吸入された混合ガスは、チャンバ４１を介してバーナ４０へと供給される。
【００３６】
バーナ４０の下面に設けられた炎孔からは、下方に向かって混合ガスが噴出される。噴出された混合ガスは、点火プラグ２１により点火されて燃焼し、燃焼ガスとなる。燃焼ガスは、下方に向かって（すなわち、一次熱交換器２０に向かって）噴出する。
【００３７】
配管５０ｅを介して二次熱交換器３０に供給された水は、二次熱交換器３０において、燃焼ガスの潜熱と熱交換を行うことにより、温度が上昇する。二次熱交換器３０を通過した水は、配管５０ｆを介して一次熱交換器２０に供給される。一次熱交換器２０に供給された水は、一次熱交換器２０において、燃焼ガスの顕熱と熱交換を行うことにより、温度がさらに上昇する。一次熱交換器２０を通過した水は、配管５０ｇを流れる。
【００３８】
配管５０ｅを流れる水の一部は、バイパス配管５１ａへと流れる。バイパス配管５１ａからバイパス配管５１ｂへと流れる水の流量は、バイパスサーボ５２により制御される。バイパス配管５１ｂを流れる水は、配管５０ｇを流れる水と混合される。すなわち、配管５０ｇの他方端から出湯される水の温度は、バイパスサーボ５２がバイパス配管５１ａからバイパス配管５１ｂへと流れる水の流量を制御することにより、調整される。
【００３９】
一次熱交換器２０内において燃焼ガス中の水蒸気が凝縮することにより発生した水（以下においては、この水を、ドレンという）は、ダクト４３を通って筐体１０の外部へと排出される。
【００４０】
＜筐体の詳細構成＞
図２に示されるように、筐体１０は、背板１０ａと、側板１０ｂ（第１側板）と、側板１０ｃ（第２側板）と、開口部１０ｄとを有している。側板１０ｂ及び側板１０ｃは、第１方向ＤＲ１において互いに対向している。側板１０ｂ及び側板１０ｃは、第１方向ＤＲ１に交差する第２方向ＤＲ２に沿って、背板１０ａの両側端から延在している。開口部１０ｄは、第２方向において、背板１０ａとは反対側に設けられている。
【００４１】
なお、図２中において図示されていないが、筐体１０は、開口部１０ｄを覆うように取り付けられる前板をさらに有している。また、好ましくは、第２方向ＤＲ２は、第１方向ＤＲ１と直交している。
【００４２】
＜ファンの構成＞
図３〜５に示されるように、ファン４２は、吐出口４２ｄと、流路４２ｅ（第１流路）と、フランジ４２ｆ（第１フランジ）と、位置決めピン４２ｇとを有している。吐出口４２ｄ、流路４２ｅ、フランジ４２ｆ及び位置決めピン４２ｇは、ファンケース４２ａに設けられている。
【００４３】
流路４２ｅは、吐出口４２ｄに向かって延在している。流路４２ｅは、第１方向ＤＲ１に沿って延在している。なお、流路４２ｅの延在方向が第１方向ＤＲ１と完全に平行でなくても、流路４２ｅの延在方向と第１方向ＤＲ１とがなす角度が０±５°の範囲内にあれば、「流路４２ｅが第１方向ＤＲ１に沿って延在している」に含まれる。ファン４２が吸引した混合ガスは、流路４２ｅを通って吐出口４２ｄから吐出される。
【００４４】
フランジ４２ｆは、吐出口４２ｄに設けられている。フランジ４２ｆは、流路４２ｅの外周面から張り出すように設けられている。
【００４５】
フランジ４２ｆは、例えば、第１方向ＤＲ１に直交する面内において、流路４２ｅの外周面から張り出している。このことを別の観点からいえば、フランジ４２ｆは、側板１０ｂ及び側板１０ｃと平行になっている。
【００４６】
フランジ４２ｆの外周面には、凸部４２ｆａ（第１凸部）が設けられている。凸部４２ｆａは、フランジ４２ｆの径方向に沿って、フランジ４２ｆの外周面から突出している。位置決めピン４２ｇは、流路４２ｅの外周面に設けられている。位置決めピン４２ｇは、流路４２ｅの外周面から突出している。位置決めピン４２ｇは、ファン４２の開口部１０ｄ側に設けられている。
【００４７】
＜チャンバの構成＞
図６及び７に示されるように、チャンバ４１は、吸入口４１ａと、流路４１ｂ（第２流路）と、フランジ４１ｃ（第２フランジ）と、ネジ穴４１ｄとを有している。
【００４８】
吸入口４１ａからは、混合ガスが吸入される。流路４１ｂは、吸入口４１ａから延在している。流路４１ｂは、第１方向ＤＲ１に沿って延在している。なお、流路４１ｂの延在方向が第１方向ＤＲ１と完全に平行でなくても、流路４１ｂの延在方向と第１方向ＤＲ１とがなす角度が０±５°の範囲内にあれば、「流路４１ｂが第１方向ＤＲ１に沿って延在している」に含まれる。吸入口４１ａから吸入された混合ガスは、流路４１ｂを介してチャンバ４１の内部に供給される。
【００４９】
フランジ４１ｃは、例えば、第１方向ＤＲ１に直交する面内において、流路４１ｂの外周面から張り出している。このことを別の観点からいえば、フランジ４１ｃは、側板１０ｂ及び側板１０ｃと平行になっている。
【００５０】
フランジ４１ｃの外周面には、凸部４１ｃａ（第２凸部）が設けられている。凸部４１ｃａは、フランジ４１ｃの径方向に沿って、フランジ４１ｃの外周面から突出している。ネジ穴４１ｄは、チャンバ４１の開口部１０ｄ側に設けられている。
【００５１】
＜ファン及びチャンバの接続＞
図８〜１１に示されるように、チャンバ４１とファン４２とは、挟持部材６により接続されている。フランジ４１ｃ及びフランジ４２ｆは、互いに当接している。これにより、吸入口４１ａ及び吐出口４２ｄは、連通している。フランジ４１ｃ及びフランジ４２ｆが互いに当接している状態において、凸部４１ｃａ及び凸部４２ｆａは、互いに対向している。
【００５２】
フランジ４１ｃ及びフランジ４２ｆは、第１方向ＤＲ１において、挟持部材６で挟持されている。混合ガスは、流路４１ｂ及び流路４２ｅを第１方向ＤＲ１に沿って流れ、第１方向ＤＲ１に沿ってチャンバ４１の内部に供給される。
【００５３】
挟持部材６は、貫通孔６１と、挿入孔６２と、位置決め孔６３とを有している。挟持部材６は、ネジ７を貫通孔６１に挿通するとともに、ネジ穴４１ｄに螺合することにより、チャンバ４１に固定されている。すなわち、挟持部材６は、チャンバ４１の開口部１０ｄ側に固定されている。
【００５４】
挿入孔６２には、凸部４１ｃａ及び凸部４２ｆａが挿入されている。これにより、周方向におけるフランジ４２ｆのフランジ４１ｃに対する相対的な回転が、規制されている。図１２に示されるように、挿入孔６２の第１方向ＤＲ１における幅は、凸部４１ｃａ及び凸部４２ｆａの基端部から離れるにつれて、狭くなっている。
【００５５】
位置決め孔６３には、位置決めピン４２ｇが挿入されている。これにより、周方向におけるフランジ４２ｆのフランジ４１ｃに対する相対的な回転が、規制されている。
【００５６】
図１０に示されるように、平面視において、点火プラグ２１は、チャンバ４１の開口部１０ｄ側に位置している。なお、「平面視において点火プラグ２１がチャンバ４１の開口部１０ｄ側に位置している」とは、平面視において、点火プラグ２１が、チャンバ４１の第２方向ＤＲ２における中央よりも開口部１０ｄ側に位置していることをいう。
【００５７】
ファン４２は、筐体１０内において側板１０ｂ側に配置されている。チャンバ４１は、筐体１０内において側板１０ｃ側に配置されている。
【００５８】
流路４１ｂ及び流路４２ｅは、平面視において、チャンバ４１の開口部１０ｄ側に位置している。なお、「平面視において流路４１ｂ及び流路４２ｅがチャンバ４１の開口部１０ｄ側に位置している」とは、平面視において、流路４１ｂ及び流路４２ｅが、チャンバ４１の第２方向ＤＲ２における中央よりも開口部１０ｄ側に位置していることをいう。
【００５９】
上記においては、挟持部材６がチャンバ４１の開口部１０ｄ側に固定されている場合を例として説明していたが、挟持部材６は、ファン４２の開口部１０ｄ側に固定されていてもよいし、チャンバ４１の開口部１０ｄ側及びファン４２の開口部１０ｄ側の双方に固定されていてもよい。
【００６０】
（実施形態に係る温水装置の効果）
以下に、実施形態に係る温水装置の効果を説明する。
【００６１】
＜基本的な効果＞
温水装置１００においては、流路４１ｂ及び流路４２ｅが第１方向ＤＲ１に沿って延在している。そのため、ファン４２から吐出される混合ガスは、第１方向ＤＲ１に沿って、チャンバ４１の内部に吸入される。
【００６２】
温水装置１００においては、挟持部材６が、フランジ４１ｃ及び４２ｆを挟持するとともに、筐体１０の開口部１０ｄ側においてチャンバ４１及びファン４２の少なくとも一方に固定されている。そのため、作業者は、筐体１０の開口部１０ｄを介して容易にチャンバ４１及びファン４２の接続を行うことができる。
【００６３】
このように、温水装置１００によると、混合ガスを第１方向ＤＲ１に沿ってチャンバ４１の内部に供給することが可能になるとともに、筐体１０に設けられた開口部１０ｄを介してチャンバ４１とファン４２とを容易に接続することが可能になる。
【００６４】
＜付随的な効果＞
流路４１ｂ及び流路４２ｅがチャンバ４１の開口部１０ｄ側に位置しているとともに、点火プラグ２１がチャンバ４１の開口部１０ｄ側に位置しているため、混合ガスは、点火プラグ２１の近傍に供給されやすく、バーナ４０の点火性能を改善することができる。
【００６５】
凸部４１ｃａ及び凸部４２ｆａが挿入孔６２に挿入されることにより、フランジ４２ｆのフランジ４１ｃに対する周方向の相対的な回転が抑止されるため、温水装置の組立性が改善される。
【００６６】
第１方向ＤＲ１における挿入孔６２の幅は、凸部４１ｃａ及び凸部４２ｆａの基端部に近づくほど広くなっているため、凸部４１ｃａ及び凸部４２ｆａを容易に挿入孔６２に挿入することができる。また、第１方向ＤＲ１における挿入孔６２の幅は、凸部４１ｃａ及び凸部４２ｆａの基端部から離れるほど狭くなっているため、一旦凸部４１ｃａ及び凸部４２ｆａを挿入孔６２に挿入した後は、挿入孔６２により凸部４１ｃａ及び凸部４２ｆａが第１方向ＤＲ１に沿って相互に押し付け合う。その結果、フランジ４１ｃとフランジ４２ｆとの間の密着性を高めることができる。
【００６７】
位置決めピン４２ｇが位置決め孔６３に挿入されることにより、フランジ４２ｆのフランジ４１ｃに対する周方向の相対的な回転が抑止されるため、温水装置の組立性が改善される。
【００６８】
温水装置１００において、挟持部材６がチャンバ４１の開口部１０ｄ側及びファン４２の開口部１０ｄ側の双方に固定されている場合、挟持部材６がチャンバ４１及びファン４２の双方に固定されることにより、フランジ４１ｃのフランジ４２ｆに対する周方向の相対的な回転が抑止されるため、温水装置の組立性が改善される。
【００６９】
以上のように本発明の実施形態について説明を行ったが、上述の実施形態を様々に変形することも可能である。また、本発明の範囲は、上述の実施形態に限定されるものではない。本発明の範囲は、特許請求の範囲によって示され、特許請求の範囲と均等の意味及び範囲内での全ての変更を含むことが意図される。
【産業上の利用可能性】
【００７０】
上記の実施形態は、温水装置に特に有利に適用される。
【符号の説明】
【００７１】
１００  温水装置、１０  筐体、１０ａ  背板、１０ｂ，１０ｃ  側板、１０ｄ  開口部、２０  一次熱交換器、２１  点火プラグ、３０  二次熱交換器、４０  バーナ、４１  チャンバ、４１ａ  吸入口、４１ｂ，４２ｅ  流路、４１ｃ，４２ｆ  フランジ、４１ｃａ，４２ｆａ  凸部、４１ｄ  ネジ穴、４２  ファン、４２ａ  ファンケース、４２ｂ  羽根車、４２ｃ  モータ、４２ｄ  吐出口、４２ｇ  位置決めピン、４３  ダクト、４４  ベンチュリ、４５  オリフィス、４６  ガスバルブ、５０ａ，５０ｂ，５０ｃ，５０ｄ，５０ｅ，５０ｆ，５０ｇ  配管、５１ａ，５１ｂ  バイパス配管、５２  バイパスサーボ、６  挟持部材、６１  貫通孔、６２  挿入孔、６３  位置決め孔、７  ネジ、ＤＲ１  第１方向、ＤＲ２  第２方向。
【図１】
2020030014.tif 000003
【図２】
2020030014.tif 000004
【図３】
2020030014.tif 000005
【図４】
2020030014.tif 000006
【図５】
2020030014.tif 000007
【図６】
2020030014.tif 000008
【図７】
2020030014.tif 000009
【図８】
2020030014.tif 000010
【図９】
2020030014.tif 000011
【図１０】
2020030014.tif 000012
【図１１】
2020030014.tif 000013
【図１２】
2020030014.tif 000014